【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
第１のアプリケーションプログラムを格納するように構成されたメモリと、
前記メモリに結合され、
測位情報を受け取り、
前記第１のアプリケーションプログラムが測位サービス制限された状態にあり、バックグラウンドで実行されているかどうかを判断し、
前記第１のアプリケーションプログラムが前記測位サービス制限された状態にあり、前記バックグラウンドで実行されている場合、前記第１のアプリケーションプログラムに測位サービスを提供しない
ように構成されたプロセッサと
を備えた、端末デバイス。
【請求項２】
前記端末デバイスの測位データを取得するように構成された測位チップをさらに備え、前記プロセッサは前記測位チップにさらに結合され、さらに
前記第１のアプリケーションプログラムから測位要求を受け取り、
前記第１のアプリケーションプログラムが前記測位サービス制限された状態にあり、前記バックグラウンドで実行されているとき、前記測位要求を前記測位チップに転送することを防止する
ように構成された、請求項１に記載の端末デバイス。
【請求項３】
前記端末デバイスの測位データを取得するように構成された測位チップをさらに備え、前記プロセッサは前記測位チップにさらに結合され、さらに
前記測位チップから前記端末デバイスの現在の測位データを受け取り、
前記第１のアプリケーションプログラムが前記測位サービス制限された状態にあり、前記バックグラウンドで実行されているとき、前記現在の測位データを前記第１のアプリケーションプログラムに送信することを防止する
ように構成された、請求項１に記載の端末デバイス。
【請求項４】
前記プロセッサは、前記第１のアプリケーションプログラムのタグに従って、前記第１のアプリケーションプログラムが前記測位サービス制限された状態にあると判断する、請求項１に記載の端末デバイス。
【請求項５】
前記プロセッサは、前記第１のアプリケーションプログラムに設定されたタグに従って、前記第１のアプリケーションプログラムが前記測位サービス制限された状態にあると判断する、請求項１に記載の端末デバイス。
【請求項６】
前記プロセッサは、ユーザ入力に応答して前記測位サービス制限された状態に入るようにさらに構成される、請求項１に記載の端末デバイス。
【請求項７】
前記測位サービス制限された状態は前記端末デバイスのデフォルト設定である、請求項１に記載の端末デバイス。
【請求項８】
測位サービスブラックリストが前記第１のアプリケーションプログラムを含むとき、前記プロセッサは、前記第１のアプリケーションプログラムが前記測位サービス制限された状態にあると判断する、請求項１に記載の端末デバイス。
【請求項９】
前記プロセッサは、前記第１のアプリケーションプログラムが前記測位サービス制限された状態にあり、測位サービス凍結されたアプリケーションリストが前記第１のアプリケーションプログラムを含むとき、前記バックグラウンドで実行されていると判断する、請求項１に記載の端末デバイス。
【請求項１０】
前記プロセッサは、前記第１のアプリケーションプログラムがバックグラウンド実行からフォアグラウンド実行に変更したとき、前記測位サービス凍結されたアプリケーションリストから前記第１のアプリケーションプログラムを削除するようにさらに構成される、請求項９に記載の端末デバイス。
【請求項１１】
プロセッサと、前記プロセッサに結合されたメモリとを備えた端末デバイスに適用される測位情報処理方法であって、前記プロセッサによって実装される前記測位情報処理方法は、
測位情報を受け取るステップと、
第１のアプリケーションプログラムが測位サービス制限された状態にあり、バックグラウンドで実行されているかどうかを判断するステップと、
前記第１のアプリケーションプログラムが前記測位サービス制限された状態にあり、前記バックグラウンドで実行されている場合、前記第１のアプリケーションプログラムに測位サービスを提供しないステップと
を含む、測位情報処理方法。
【請求項１２】
前記端末デバイスは、測位データを取得するように構成された測位チップをさらに備え、前記測位情報処理方法は、
前記第１のアプリケーションプログラムから測位要求を受け取るステップと、
前記第１のアプリケーションプログラムが前記測位サービス制限された状態にあり、前記バックグラウンドで実行されているとき、前記測位要求を前記測位チップに送信することを防止するステップと
をさらに含む、請求項１１に記載の測位情報処理方法。
【請求項１３】
前記端末デバイスは、測位データを取得するように構成された測位チップをさらに備え、前記測位情報処理方法は、
前記測位チップから前記端末デバイスの現在の測位データを受け取るステップと、
前記第１のアプリケーションプログラムが前記測位サービス制限された状態にあり、前記バックグラウンドで実行されているとき、前記端末デバイスの前記現在の測位データを前記第１のアプリケーションプログラムに送信することを防止するステップと
をさらに含む、請求項１１に記載の測位情報処理方法。
【請求項１４】
前記第１のアプリケーションプログラムのタグに従って、前記第１のアプリケーションプログラムが前記測位サービス制限された状態にあると判断するステップをさらに含む、請求項１１に記載の測位情報処理方法。
【請求項１５】
前記第１のアプリケーションプログラムに設定されたタグに従って、前記第１のアプリケーションプログラムが前記測位サービス制限された状態にあると判断するステップをさらに含む、請求項１１に記載の測位情報処理方法。
【請求項１６】
前記第１のアプリケーションプログラムは、ユーザ入力に応答して前記測位サービス制限された状態に入る、請求項１１に記載の測位情報処理方法。
【請求項１７】
前記測位サービス制限された状態は前記端末デバイスのデフォルト設定である、請求項１１に記載の測位情報処理方法。
【請求項１８】
測位サービスブラックリストが前記第１のアプリケーションプログラムを含むとき、前記第１のアプリケーションプログラムは前記測位サービス制限された状態にあると判断するステップをさらに含む、請求項１１に記載の測位情報処理方法。
【請求項１９】
測位サービス凍結されたアプリケーションリストが前記第１のアプリケーションプログラムを含むとき、前記第１のアプリケーションプログラムは前記測位サービス制限された状態にあり、前記バックグラウンドで実行されていると判断するステップと、
前記第１のアプリケーションプログラムがバックグラウンド実行からフォアグラウンド実行に変更されたとき、前記測位サービス凍結されたアプリケーションリストから前記第１のアプリケーションプログラムを削除するステップと
をさらに含む、請求項１１に記載の測位情報処理方法。
【請求項２０】
プロセッサによって実行されると、前記プロセッサに
測位情報を受け取らせ、
第１のアプリケーションプログラムが測位サービス制限された状態にあり、バックグラウンドで実行されているかどうかを判断させ、
前記第１のアプリケーションプログラムが前記測位サービス制限された状態にあり、前記バックグラウンドで実行されているとき、前記第１のアプリケーションプログラムに測位サービスを提供させないコンピュータ実行可能命令を含む、コンピュータプログラム。